(57)【要約】      （修正有）【課題】キーボード操作を無くし簡易に誰でも、音声、タッチパネルディスプレイで命令を入力でき、しかもＯＳソフト、各種ソフト等の設定、またはインストール等を容易に行なうことができる。【解決手段】音声入力補助装置は、入力された音声成分を単音毎に文字情報として定義処理する音声定義処理部と、入力された手書き情報を文字情報として定義処理する手書定義処理部と、キー操作入力手段からのキー情報と、タッチパネルディスプレイからの文字情報と、音声入力手段の文字情報とを演算処理してキー情報と文字情報を含む制御指令の情報としてディスプレイに表示可能及び機器へ出力可能にする中央処理演算部とを備え、ソフトウエアのインストールのキー操作の手順を記憶した記憶素子を手書定義処理部に接続し、記憶素子からキー操作の手順を手書定義処理部に送信し、タッチパネルディスプレイにキー操作の手順を表示する。【選択図】図１
2005174285.tif 000002
【特許請求の範囲】
【請求項１】
キー情報を入力するキー操作入力手段と、
手書きによって文字情報を入力するタッチパネルディスプレイと、
音声を集音して入力する音声入力手段と、
制御指令の情報を表示するディスプレイと、
前記入力された音声成分を単音毎に文字情報として定義処理する音声定義処理部と、
前記入力された手書き情報を文字情報として定義処理する手書定義処理部と、
前記キー操作入力手段からのキー情報と、前記タッチパネルディスプレイからの文字情報と、前記音声入力手段の文字情報とを演算処理してキー情報と文字情報を含む前記制御指令の情報として前記ディスプレイに表示可能及び機器へ出力可能にする中央処理演算部とを備え、
ソフトウエアのインストールのキー操作の手順を記憶した記憶素子を前記手書定義処理部に接続し、
前記記憶素子から前記キー操作の手順を前記手書定義処理部に送信し、前記タッチパネルディスプレイに前記キー操作の手順を表示することを特徴とする音声入力補助装置。
【請求項２】
キー情報を入力するキー操作入力手段と、
手書きによって文字情報を入力するタッチパネルディスプレイと、
音声を集音して入力する音声入力手段と、
前記入力された音声成分を単音毎に文字情報として定義処理する音声定義処理部と、
前記入力された手書き情報を文字情報として定義処理する手書定義処理部と、
前記音声入力手段からの文字情報を前記タッチパネルディスプレイに文字情報として表示し、この文字情報と、前記キー操作入力手段からのキー情報と、前記タッチパネルディスプレイからの文字情報とを演算処理してキー情報と文字情報を含む前記制御指令の情報として機器へ出力可能にする中央処理演算部とを備え、
ソフトウエアのインストールのキー操作の手順を記憶した記憶素子を前記手書定義処理部に接続し、
前記記憶素子から前記キー操作の手順を前記手書定義処理部に送信し、前記タッチパネルディスプレイに前記キー操作の手順を表示することを特徴とする音声入力補助装置。
【請求項３】
前記中央処理演算部は、前記入力に基づき機器を制御可能である請求項１または請求項２に記載の音声入力補助装置。
【発明の詳細な説明】
【技術分野】
【０００１】
この発明は、キーボード操作を無くし簡易に誰でも、音声、タッチパネルディスプレイで命令を入力できる音声入力補助装置に関する。
【背景技術】
【０００２】
音声入力補助装置として、例えば手書き文字の視覚情報の入力を受け付ける視覚情報入力面、音声の聴覚情報の入力を受け付ける聴覚情報入力部、入力された視覚情報を認識する視覚情報認識部、入力された情報の認識結果を表示する表示面とを備えた情報入力装置がある（例えば、特許文献１）。
【０００３】
また、コンピュータ等に対して今迄の音声入力は、音声をフィルター等に通して、単純化し、アナログ／デジタル変換し、それをパターン認識し、単音を文字とし、一語の文字をワードプロセッサソフトで単語の使用頻度を確率計算して、音声を文字変換し同時に文章にしていた。
【特許文献１】特開平８−８３０９２号公報（１頁〜１０頁、第１図〜第４図）
【発明の開示】
【発明が解決しようとする課題】
【０００４】
これ迄の音声入力パーソナルコンピュータ等では誤った変換、具体的には同音異語等に完全に未だ対処出来なかった。これは使用頻度計算と確率計算プログラムの為だった。この為高度のプログラムと高性能のＣＰＵユニットが必要だった。そして訂正はアルファベットキーボード等でカーソルを手で動し手入力の為キーボードを無くすのは困難だった。
【０００５】
更に、ＯＳソフト、各種ソフト等を設定する際、またはインストールなどの定義キー操作の手順が面倒であった。
【０００６】
この発明は、かかる点に鑑みてなされたもので、キーボード操作を無くし簡易に誰でも、音声、タッチパネルディスプレイで命令を入力でき、しかもＯＳソフト、各種ソフト等の設定、またはインストール等を容易に行なうことができる音声入力補助装置を提供することを目的としている。
【課題を解決するための手段】
【０００７】
前記課題を解決し、かつ目的を達成するために、この発明は、以下のように構成した。
【０００８】
請求項１に記載の発明は、キー情報を入力するキー操作入力手段と、
手書きによって文字情報を入力するタッチパネルディスプレイと、
音声を集音して入力する音声入力手段と、
制御指令の情報を表示するディスプレイと、
前記入力された音声成分を単音毎に文字情報として定義処理する音声定義処理部と、
前記入力された手書き情報を文字情報として定義処理する手書定義処理部と、
前記キー操作入力手段からのキー情報と、前記タッチパネルディスプレイからの文字情報と、前記音声入力手段の文字情報とを演算処理してキー情報と文字情報を含む前記制御指令の情報として前記ディスプレイに表示可能及び機器へ出力可能にする中央処理演算部とを備え、
ソフトウエアのインストールのキー操作の手順を記憶した記憶素子を前記手書定義処理部に接続し、
前記記憶素子から前記キー操作の手順を前記手書定義処理部に送信し、前記タッチパネルディスプレイに前記キー操作の手順を表示することを特徴とする音声入力補助装置である。
【０００９】
請求項２に記載の発明は、キー情報を入力するキー操作入力手段と、
手書きによって文字情報を入力するタッチパネルディスプレイと、
音声を集音して入力する音声入力手段と、
前記入力された音声成分を単音毎に文字情報として定義処理する音声定義処理部と、
前記入力された手書き情報を文字情報として定義処理する手書定義処理部と、
前記音声入力手段からの文字情報を前記タッチパネルディスプレイに文字情報として表示し、この文字情報と、前記キー操作入力手段からのキー情報と、前記タッチパネルディスプレイからの文字情報とを演算処理してキー情報と文字情報を含む前記制御指令の情報として機器へ出力可能にする中央処理演算部とを備え、
ソフトウエアのインストールのキー操作の手順を記憶した記憶素子を前記手書定義処理部に接続し、
前記記憶素子から前記キー操作の手順を前記手書定義処理部に送信し、前記タッチパネルディスプレイに前記キー操作の手順を表示することを特徴とする音声入力補助装置である。
【００１０】
請求項３に記載の発明は、前記中央処理演算部は、前記入力に基づき機器を制御可能である請求項１または請求項２に記載の音声入力補助装置である。
【００１１】
この発明の音声入力補助装置は、キー操作入力手段からの入力情報と、タッチパネルディスプレイからの入力情報と、定義処理に基づく入力情報をディスプレイに表示可能にする中央処理演算部とを備える。また、中央処理演算部は、入力に基づき機器を制御可能である。
【００１２】
この発明の音声入力補助装置は、音声入力手段による音声入力に伴う小文字、言い廻し、同音異語、イントネーション、リズムパターン、特殊な記号などに対応できる。そして、タッチパネルディスプレイによる複数の機能キーの中のカーソルキーでカーソルを動し文章中の誤変換の漢字やアルファベットなどを指摘して訂正できる。
【００１３】
音声入力手段は、マイク、アンプ、フィルター、Ａ／Ｄコンバータ等で構成される。ここで、フィルターは発音される音声成分中、余計な成分を取り除き、音声を単純化し、次のＡ／Ｄコンバータにてディジタル信号となる。音声定義処理部は、定義処理で単音声ごとに文字に変換し、中央処理演算部にてワープロソフトに従ってディスプレイ画面上に表示される。
【００１４】
キー操作入力手段からの数字入力により、音声で入力するより早く簡単に数字を入力できる。
【００１５】
タッチパネルディスプレイによる機能キーは、タッチパネルディスプレイ機能変更キー、ワープロソフト実行に伴う無変換、変換実行などのキーとカーソルを動す上下左右のカーソルキーなどで構成できる。
【００１６】
タッチパネルディスプレイは、複数の機能を持ち、タッチパネルディスプレイ機能変更キーを押す回数で１回又は２回などで表示と機能が変更される。また、タッチパネルディスプレイの初期画面上はポインタ移動の為の指先などの感圧検知し、移動させ、更に１回押せば辞書、削除、挿入などの複数の感圧検知キー選択スイッチとして機能する。更に機能変更キーを複数回押せば記号等複数の表示が出来、指などで押圧検知選択キーとして機能する。
【００１７】
中央処理演算部は、従来の様にプログラミングソフトにてディスプレイだけで無く、プリンター、制御される機械、電気製品等の機器にも入力情報に基づく指令を送り制御を行なうことができる。
【発明の効果】
【００１８】
前記構成により、この発明は、以下のような効果を有する。
【００１９】
請求項１に記載の発明によれば、キー操作、タッチパネルディスプレイから手動操作によって情報を入力し、さらに音声を集音して入力し、制御指令の情報としてディスプレイに表示可能及び機器へ出力可能にすることで、キーボード操作を簡易にし誰でも容易に命令を入力できる。
【００２０】
また、ソフトウエアのインストールのキー操作の手順を記憶した記憶素子を手書定義処理部に接続し、キー操作の手順を手書定義処理部に送信し、タッチパネルディスプレイのキー操作の手順に従って、ＯＳソフト、各種ソフト等の設定、またはインストール等を容易に行なうことができる。
【００２１】
請求項２に記載の発明によれば、音声を集音して入力しタッチパネルディスプレイに文字としてを表示し、この文字としての表示に基づきキー操作、タッチパネルディスプレイから手動操作によって指定し、制御指令の情報として機器へ出力可能にすることで、キーボード操作を簡易にし誰でも容易に命令を入力できる。
【００２２】
また、ソフトウエアのインストールのキー操作の手順を記憶した記憶素子を手書定義処理部に接続し、キー操作の手順を逐次手書定義処理部に送信し、タッチパネルディスプレイのキー操作の手順に従ってＯＳソフト、各種ソフト等の設定、またはインストール等を容易に行なうことができる。
【００２３】
請求項３に記載の発明によれば、中央処理演算部は、従来の様にプログラミングソフトにてディスプレイだけで無く、入力により指令を実行して機械、電気製品等の機器の制御実行を簡易に行える。
【発明を実施するための最良の形態】
【００２４】
以下、この発明の音声入力補助装置の実施の形態について説明する。この発明の実施の形態は、発明の最も好ましい形態を示すものであり、この発明はこれに限定されない。
【００２５】
図１は全体を構成するブロック図である。音声を集音して入力する音声入力手段を構成するマイク１は、音声を集音し、音声信号がアンプ２、フィルター９を経て、アナログ／ディジタル変換器３へ送られる。アナログ／ディジタル変換器３で音声信号がディジタル化され、音声定義処理部４ａにて単音声ごとに文字として処理され、入出力部５を経て、中央処理演算部６にて処理されディスプレイ７ａにて表示される。
【００２６】
情報を入力するキー操作入力手段を構成する数字キー８ｂにて、数字など入力できる。更に、タッチパネルディスプレイ７ｂの一つの機能として手書入力し、この手書入力を手書定義処理部４ｂにて文字として認識処理され、この手書入力により、訂正し、音声入力では対応出来ないものを補完する。
【００２７】
図２はマイク１にて音声を集音してアンプ２を経てフィルター９にて音声成分を単純化し、アナログ／ディジタル変換器３でアナログ／ディジタル変換し、単音毎に音声定義処理部４ａにて音声入力命令にて中央処理演算部６にて演算処理をして、タッチパネルディスプレイ７ｂに表示する。
【００２８】
更に、情報を入力するキー操作入力手段を構成する数字キー８ｂなどで数値を入力し、タッチパネルディスプレイ７ｂにて指定して中央処理演算部６にて作動指令を出し、制御される機械、電気製品等の機器１４を制御作動させる。
【００２９】
更に、情報を入力するキー操作入力手段を構成するタッチパネルディスプレイ機能変更キー１２ａにて機能変更表示し特殊な記号、数学、物理、化学などの記号を表示し、更に数字キー８ｂなどで数を入力する。そして指などの押圧を感圧検知して、指定し機能指令を中央処理演算部６にて処理演算して、制御される機械、電気製品等の機器１４などに指定、指令通りの動作させることが出来る。
【００３０】
図３は音声入力補助装置の上面図である。以下、添付図３に基づいて図１の音声入力補助装置を詳細に説明する。マイク１にて音声を集音し、図１のディスプレイ７ａに表示して音声から変換して得られた文章の内容を確認する。更に数字キー８ｂ又はタッチパネルディスプレイ７ｂに、機能変更キー１２ａなどにて削除、挿入、辞書など表示して、表示の中から指などで押圧、圧力を検知して指定し実行キー１２ｂに指令実行する。
【００３１】
又小文字などはカーソルキー１３にてディスプレイ７ａの文章中の目的の語に指定して小文字に直す。更に吃音、イントネーション、リズムパターンなどに対応し、タッチパネルディスプレイ７ｂの機能変更キー１２ａにて、指などタッチパネルディスプレイ７ｂに押圧し圧力検知して、手書き入力などが出来る。更に同音異語など対してタッチパネルディスプレイ７ｂの機能変更キー１２ａにて機能変更し、一つ又は複数の表示の中から辞書を指で押圧選択指定して文字の中からカーソルなどで実行キー１２ｂにて指令して図１の入出力部５を経て中央処理演算部６にて実行処理してディスプレイ７ａにて表示する。この表示から確認、目視して正しい文章に訂正できる。
【００３２】
そして、このタッチパネルディスプレイ７ｂは機能変更キー１２ａボタンの予め決められた回数を押すと、ディスプレイ７ａのポインターなどの移動にも使用でき、タッチパネルディスプレイ７ｂ上を指で擦り指の移動量と上下左右を認識して入出力部５を経て中央処理演算部６にて演算処理し、ポインターがディスプレイ７ａの画面上を上下左右に移動して、目的のアイコンにして実行キー１２ｂを押せばクリック実行できる。
【００３３】
次に、図３を用いて図２の音声入力補助装置を添付図面に基づいて説明する。この音声入力補助装置の操作部には、マイク１、タッチパネルディスプレイ７ｂ、数字キー８ｂ、機能変更キー１２ａ、実行キー１２ｂ、無変換／変換キー１２ｃ、小文字キー１２ｄ、カーソル移動キー１３、電源スイッチ１５を有し、電源コード１６で電源と接続され、通信線１１により制御部及びディスプレイ７ａに接続される。
【００３４】
マイク１にて音声を集音してアンプ２を経てフィルター９を経て、アナログ／ディジタル変換器３にてディジタル化し、中央処理演算部６にて処理しタッチパネルディスプレイ７ｂに表示し、タッチパネルディスプレイ７ｂの画面上半分を音声入力の音声入力の文章或は言葉など対応表示し、タッチパネルディスプレイ７ｂの画面下半分などに機能変更キー１２ａなどで機能を選択指定してタッチパネルディスプレイ７ｂの指定場所を指など押圧して、押圧認識して指定して実行キー１２ｂにて中央処理演算部６にて処理し、制御される機械、電気製品等の機器１４を制御できる。そして機能変更キー１２ａの予め決められた押す回数で様々の機能、数学、物理、化学、メートル法の記号を表示させ指などで押圧認識して指定し、実行キー１２ｂの入力で中央処理演算部６に処理させ、制御される機械、電気製品等の機器１４を制御できる。
【００３５】
このように、マイク１にて音声を集音してアナログ／ディジタル変換器３して定義処理部４ａにて一音声ごとに一語として中央処理演算部６にて処理されディスプレイ７ａに表示される。文章中の小文字に対し、小文字キーにて対応し、同音異語、吃音、イントネーション、リズムパターンなどに対してタッチパネルディスプレイ７ｂにて手書入力でき、辞書なども表示して実行でき、更に機能変更キー１２ａにタッチパネルディスプレイ７ｂの表示を変更し、機能を変更して目的の手書、辞引、記号など様々な表示して選択実行できる。更にディスプレイ７ａの画面上のポインターに対応してタッチパネルディスプレイ７ｂの画面上を指で擦り、指の擦った移動量と方向を認識して、ディスプレイ７ａの画面上ポインターを目的の位置に指定して、実行キー１２ｂにてクリックできる。そして今迄のキーボードの操作の替りとなり簡易に扱える。更にタッチパネルディスプレイ７ｂの画面に全てのキーを表示し、選択指定して実行もできる。更にディスプレイ上で機能、文字、記号等をポインター、カーソルなどをマウス又はカーソルキーで動かし、クリックして実行しても同様な効果がある。
【００３６】
そして、この音声入力補助装置は、操作部と制御部を無線、光などによりコードレスとしても良い。そして文章上よく使用される記号等は記号キーとして設けてもよい。更にＯＳソフト、各種ソフト等を設定する際、またはインストールなどの定義キー操作の手順をスマートメディアなどの記憶素子１７から特定のキーを表すディジタル符号を発信し、入力してインストールでき、更に設定して関しても同様に行える。
【００３７】
又スマートメディア等の記憶素子を用いてコンピュータ起動の際の暗証キーとして使用できる。この記憶素子１７は更にインストールの手順のキーコード送り出し、並びにこれらのキーコードを出す説明をタッチパネルに表示し、そして複数のアイコンなどからを選択クリックする際の１を選んだ効果と結果の説明などもタッチパネルに表示してある程度ソフトの内容の取扱説明を記憶できる。そしてソフトの設定などにも同様の手順ででき、表示できる。
【００３８】
また、音声入力補助装置は、図２のように構成されると、音声入力とタッチパネルディスプレイ７ｂと数字キー８ｂなどで数値を入力指令して中央処理演算部６と制御作動させる機械、電気製品等の機器１４など全ての物と構成して制御作動できる。これはマイク１にて音声を集音してアナログ／ディジタル変換して中央処理演算部６にて演算処理して文章或は言葉を入力指令し、タッチパネルディスプレイ７ｂに表示、或はタッチパネルディスプレイ７ｂ上、上半分に表示し、画面下半分に機能を一つの画面に一つ又は複数表示して、画面の中から指など押圧認識し選択指定して実行キー１２ｂによって実行できる。そして更に機能変更キー１２ａを決められた回数を押す事で様々な機能を表示でき選択指定実行できる。更にこのタッチパネルディスプレイ７ｂ上で全てのキー表示し、指定して実行も出来る。そして、更にディスプレイ上で機能、文字、記号等をポインター、カーソルなどをマウス又はカーソルキーで動かし、クリックして実行しても同様な効果がある。そして文章上よく使用される記号等は記号キーとして設けてもよい。
【００３９】
更にＯＳソフト、各種ソフト等を設定する際、またはインストールなどの定義キー操作の手順をスマートメディアなどの記憶素子１７から特定のキーを表すディジタル符号を発信し、入力してインストールでき、設定して関しても同様に行える。又スマートメディア等の記憶素子１７を用いてコンピュータ起動の際の暗証キーとして使用できる。この記憶素子１７は更にインストールの手順のキーコード送り出し、並びにこれらのキーコードを出す説明をタッチパネルに表示し、そして複数のアイコンなどからを選択クリックする際の１を選んだ効果と結果の説明などもタッチパネルに表示してある程度ソフトの内容の取扱説明を記憶できる。そしてソフトの設定などにも同様の手順ででき、表示できる。
【産業上の利用可能性】
【００４０】
この音声入力補助装置は、キー操作、タッチパネルディスプレイから手動操作によって情報を入力し、さらに音声を集音して入力し、制御指令の情報としてディスプレイに表示可能及び機器へ出力可能にすることで、キーボード操作を簡易にし誰でも容易に命令を入力できる。また、ソフトウエアのインストールのキー操作の手順を記憶した記憶素子を手書定義処理部に接続し、キー操作の手順を手書定義処理部に送信し、タッチパネルディスプレイにキー操作の手順を表示し、この表示に従ってキー操作を行うことで、ＯＳソフト、各種ソフト等の設定、またはインストール等を容易に行なうことができる。
【図面の簡単な説明】
【００４１】
【図１】音声入力補助装置の全体を構成するブロック図である。
【図２】音声入力補助装置の他の実施の形態の全体を構成するブロック図である。
【図３】音声入力補助装置の操作部の上面図である。
【符号の説明】
【００４２】
１  マイク
２  アンプ
３  アナログ／ディジタル変換器
４ａ  音声定義処理部
４ｂ  手書定義処理部
５  入出力部
６  中央処理演算部
７ａ  ディスプレイ
７ｂ  タッチパネルディスプレイ
８ｂ  数字キー
９  フィルター
１１  通信線
１２ａ  機能変更キー
１２ｂ  実行キー
１２ｃ  無変換／変換キー
１２ｄ  小文字キー
１３  カーソル移動キー
１４  機械、電気製品等の機器
１５  電源スイッチ
１６  電源コード
【図１】
2005174285.tif 000003
【図２】
2005174285.tif 000004
【図３】
2005174285.tif 000005